(57)【要約】【課題】簡単な構造で薄型化を図れるとともに、領域毎調光制御が可能な面状照明装置を実現する。【解決手段】本発明に係るバックライトモジュール１は、複数の光源３ａ〜３ｄと、該光源３ａ〜３ｄからの光が側面１０ｃ〜１３ｃから入射し、下面１０ｂ〜１３ｂに形成された反射面によって反射した光を上面１０ａ〜１３ａの光取出し面から照射する導光板１０〜１３とを有する。前記導光板１０〜１３は、上面１０ａ〜１３ａと垂直な方向に互いに積層され、各導光板１０〜１３の反射面は、光取出し面と対向する方向から見て、少なくとも一部が互いに重ならない位置に形成されている。【選択図】図７
2010123345.tif 000002
【特許請求の範囲】
【請求項１】
複数の光源と、
該光源からの光が一側面から入射し、この一側面を光入射面とし、下面に形成された光反射面によって反射した光を上面の光取出し面から照射する複数の導光板とを有する面状照明装置において、
前記導光板は、前記光取出し面と垂直な方向に互いに積層され、
各導光板の光反射面は、前記光取出し面と対向する方向から見て、少なくとも一部が互いに重ならない位置に形成されていることを特徴とする面状照明装置。
【請求項２】
各導光板の光反射面は、前記光取出し面と対向する方向から見て、互いに隣接する位置に形成されていることを特徴とする請求項１に記載の面状照明装置。
【請求項３】
各導光板は、前記光入射面と垂直な方向の幅が互いに異なり、
前記面状照明装置の光照射方向に向かって、前記幅の短い導光板から順に積層され、
各導光板の下面は、前記光源側の辺と対向する辺から前記光源に向かって一部または全部が前記光反射面となっていることを特徴とする請求項１または２に記載の面状照明装置。
【請求項４】
前記光源からの光が入射する前記一側面を光入射面とすると、
各導光板は、前記光入射面と垂直な方向の幅が互いに異なり、
前記面状照明装置の光照射方向に向かって、前記幅の長い導光板から順に積層され、
各導光板の下面は、前記光源側の辺と対向する辺から前記光源に向かって所定距離の範囲が前記光反射面となっており、
各導光板の光取出し面は、１つの仮想的な平面に含まれることを特徴とする請求項１または２に記載の面状照明装置。
【請求項５】
前記光反射面は、前記光取出し面に対して傾斜しており、
各導光板の前記光反射面と前記光取出し面との角度が、互いに等しいことを特徴とする請求項１〜４のいずれか１項に記載の面状照明装置。
【請求項６】
前記光反射面に沿って光反射板を設けられていることを特徴とする請求項１〜５のいずれか１項に記載の面状照明装置。
【請求項７】
各導光板の光反射面の面積は、互いに等しいことを特徴とする請求項１〜６のいずれか１項に記載の面状照明装置。
【請求項８】
各導光板の光入射面は、１つの仮想的な平面に含まれることを特徴とする請求項３〜７のいずれか１項に記載の面状照明装置。
【請求項９】
前記光入射面と垂直な方向を縦方向として、
前記導光板が横方向に複数の導光ブロックに等間隔に分割されていることを特徴とする請求項３〜８のいずれか１項に記載の面状照明装置。
【請求項１０】
上記複数の光源は、同一の基板上に設けられていることを特徴とする請求項１〜９のいずれか１項に記載の面状照明装置。
【請求項１１】
請求項１〜１０のいずれか１項に記載の面状照明装置を備えた液晶表示装置。
【発明の詳細な説明】
【技術分野】
【０００１】
本発明は、例えば液晶表示装置のバックライトに関するものである。特に、複数領域毎の調光制御（ローカルディミング制御、エリアアクティブ制御等）が可能な面状照明装置に関するものである。
【背景技術】
【０００２】
近年、デジタル家電や情報・通信機器は我が国の電子機器産業の成長において、大きな牽引力になっている。デジタル家電の中心は薄型ＴＶに代表される映像機器である。
【０００３】
これらの映像機器が備える表示装置には、自ら光を発するプラズマディスプレイ（ＰＤＰ）および有機ＥＬ等と、自らは光を発生せず光源（ＬＥＤ、冷陰極管）を必要とする液晶ディスプレイ（ＬＣＤ）とがある。
【０００４】
液晶ディスプレイは、薄く軽量化できることから薄型ＴＶのほか、ノートパソコン、携帯電話、ゲーム機、カーナビ等に広く使用されている。
【０００５】
しかし、液晶ディスプレイは、自発光型ではないため、面状光源となるバックライトが必要であり、映像機器自体の更なる薄型化のためには、バックライトの薄型化が要求される。このため、バックライトの薄型化に対応するためのさまざまな工夫がなされるようになっている。
【０００６】
従来より、液晶表示装置等の光源装置として用いられるバックライトは、大別して直下型とエッジライト型とがある。
【０００７】
直下型バックライトは、液晶パネルの直下に配する構成であり、図２３は、代表的な直下型バックライト３０１を示す断面図である。バックライト３０１では、拡散板３０２の下部に設けられたＬＥＤ基板３０３上に光源となるＬＥＤ３０４を配置し、ＬＥＤ（発光ダイオード）３０４からの光を拡散板３０２によって拡散して外部に放出する。ＬＥＤ３０４は、冷陰極蛍光管のような光源ではなく点状光源のため、液晶表示装置の表示画像の各領域の明暗と同期してバックライト各領域の明暗を調整する、いわゆる領域毎調光制御（ローカルディミング制御、エリアアクティブ制御等）が実現でき、これにより液晶表示装置の大幅なコントラスト向上、および低消費電力化を図ることが可能となる。エリアアクティブ制御も技術内容は同じであり、表現が異なるだけである。
【０００８】
しかしながら、バックライト３０１では、光源部の発光ムラ抑制のためＬＥＤ基板３０３と拡散板３０２との距離Ｔ１を長くする必要があり、薄型化が困難である。
【０００９】
従って、液晶テレビや液晶モニター等の大型液晶表示装置の更なる薄型化が進んでいる現状においては、大型画面サイズで主流の光源は、直下型バックライトから、より薄型化に適したエッジライト型バックライトへ転換されつつある。
【００１０】
エッジライト型バックライトは、光源を表示装置額縁近辺に配し、アクリル樹脂等の透光性樹脂（導光板）に光源光を入射させて均一面発光を得る構成である。図２４は、ＬＥＤ光源を用いた代表的なエッジライト型バックライト４０１を示す断面図である。バックライト４０１では、導光板４０２の側部に設けられたＬＥＤ基板４０３上に光源となるＬＥＤ４０４を配置し、ＬＥＤ４０４からの光を導光板４０２によって上部に放出する。導光板４０２の厚さＴ２を厚くしなくてもＬＥＤ４０４からの光を上部に放出できるので、液晶表示装置の薄型化が容易である。
【００１１】
しかしながら、導光板４０２では、画面全体での発光しかできないため、ローカルディミング制御等の領域毎調光制御が不可能である。
【００１２】
そこで、液晶表示装置の薄型化と領域毎調光制御との両方を実現するため、様々なバックライトの構成が提案されている（例えば、特許文献１〜４参照）。
【００１３】
図２５（ａ）〜（ｄ）は、それぞれ特許文献１に記載のタンデム型面光源装置５０１、５１１、５２１、５３１を示している。面光源装置５０１、５１１、５２１、５３１はそれぞれ、光源からの距離が離れるほどに厚さが減ぜられる複数の導光板５０２、５１２、５３２を複数個、もしくは一体型の導光板５２２を有しており、それぞれの段差に光源５０３が配置されている。各光源の光度を調節することにより、複数の導光板毎の調光が可能となり、液晶表示装置の薄型、且つ大型化を容易にしている。
【００１４】
しかしながら、図２６に示すように、特許文献１に記載の構成では、光源付近に輝線が発生する。
【００１５】
これに対して、特許文献２では、輝線の発生を抑制するために、段差に設けられる光源の導光板入光部を延長した構成を開示している。
【００１６】
図２７（ａ）〜（ｉ）は、それぞれ特許文献２に記載の面光源装置６０１、６１１、６２１、６３１、６４１、６５１、６６１、６７１、６８１を示している。面光源装置６０１、６１１、６２１、６３１、６４１、６５１、６６１、６７１、６８１はそれぞれ、光源からの距離が離れるほどに厚さが減ぜられる複数の導光板６０２、６１２、６２２、６３２、６４２、６５２、６６２、６７２、６８２を有しており、それぞれの段差に光源６０３が配置されている。例えば、図２７（ａ）に示すように、導光板６０２には、段差に設けられる光源６０３の手前に延長部６０２ａが設けられており、導光板６１２、６２２、６３２、６４２、６５２、６６２、６７２、６８２においても、同様の延長部が設けられている。これにより、液晶表示装置の大型／薄型化と領域毎調光制御とを図るとともに、図２５に示すタンデム型面光源装置における光源付近の輝線の発生を抑制している。
【００１７】
図２８（ａ）および（ｂ）は、特許文献３に記載のバックライト７０１を示している。バックライト７０１は、複数の導光板７０２を有しており、各導光板７０２間に光源７０３が配置されている。導光板７０２の発光面側長手両サイドには突出縁部７０４が設けられている。これにより、液晶表示装置の大型／薄型化と領域毎調光制御とを図ることが可能となっている。
【００１８】
さらに、特許文献４は、面内輝度の均一度を上げるために、導光板に傾斜面を設け、傾斜角度を最適化する構成を開示している。図２９（ａ）および（ｂ）は、特許文献４に記載の照明装置８０１を示しており、図２９（ｃ）は、特許文献４に記載の照明装置８１１を示している。照明装置８０１は、複数の導光板８０２を有しており、導光板８０２間に光源８０３が配置されている。これにより、図２９（ｂ）に示すように、複数の表示領域毎の調光が可能となっている。
【００１９】
また、導光板８０２に傾斜面を設け、傾斜角度を最適化することにより、面内輝度の均一化を図っている。また、照明装置８１１は、照明装置８０１において導光板８０２の代わりに２枚の楔型の断面形状を有する導光板８１２ａおよび導光板８１２ｂを積層配置した構成である。導光板８１２ａ・８１２ｂの断面形状を最適化することにより、面内輝度の均一化を図ることができる。
【００２０】
また、特許文献５には、エッジライト型のバックライトモジュールを光源段差部にて接合する構成が開示されている。図３０（ａ）および（ｂ）は、それぞれ特許文献５に記載のバックライト９０１、９１１を示す断面図である。バックライト９０１、９１１はそれぞれ、複数の導光板９０２、９１２および光源９０３を備える発射部９０４、９１４を有しており、導光板９０２および発射部９０４並びに導光板９１２および発射部９１４が、接続された段差構造として形成されている。これにより、大サイズのバックライト構造が形成可能となっているとともに、各光源９０３の光度を調節することで、領域毎調光制御も可能となっている。
【００２１】
さらに、特許文献６には、エッジライト型と直下型とを組み合わせた照明装置の構成が開示されている。図３１（ａ）〜（ｄ）は、それぞれ特許文献６に記載のバックライト１００１、１０１１、１０２１、１０３１を示す断面図である。バックライト１００１、１０１１、１０２１、１０３１は、複数の導光板１００２、１０１２、１０２２、１０３２、１０４２を有しており、導光板１００２、１０１２、１０２２、１０３２、１０４２の間には、光射出面より背面側に光源１００３、１０１３、１０２３、１０３３、１０４３、１０５３が配置されている。このため、例えば、光源１０２３の光量が低下した場合でも、周囲の光源１０１３、１０３３等からの射出光が、導光板１００２、１０１２、１０２２、１０３２、１０４２内を導光して光源１０２３側に到達するので、光源１０２３の光量不足を補うことができる。これにより、一部の光源の明るさが低下した場合でも、発光品位および発光均一度への影響を少なくすることができ、従来の直下方式バックライト構造に比して輝度むらの発生を抑制することができる。
【特許文献１】特開平１１−２８８６１１号公報（１９９９年１０月１９日公開）
【特許文献２】特開２００１−３１２９１６号公報（２００１年１１月９日公開）
【特許文献３】特開２００１−４２３２７号公報（２００１年２月１６日公開）
【特許文献４】特開２００２−７５０３６号公報（２００２年３月１５日公開）
【特許文献５】特開２００７−１１５６９５号公報（２００７年５月１０日公開）
【特許文献６】特開２００８−１６６２９４号公報（２００８年７月１７日公開）
【発明の開示】
【発明が解決しようとする課題】
【００２２】
近年、環境負荷等の観点から、バックライトに用いられる光源は、現状多用されている冷陰極蛍光管からＬＥＤ（発光ダイオード）への置き換えが進みつつある。
【００２３】
しかしながら、上記従来の発明では、エッジライト方式による薄型化と、光源のＬＥＤ化とを同時に実施した場合、導光板の全面発光のため、ＬＥＤの特徴であるローカルディミング制御等の領域毎調光制御が不可能である。
【００２４】
また、光源としてＬＥＤを用いる場合、上記従来の構成では、構造が複雑になるという問題を生じる。
【００２５】
具体的には、特許文献１〜４に記載の構成において光源としてＬＥＤを用いると、ＬＥＤを搭載する基板（光源部）を離れた位置に分割して複数設ける必要があるため、部材コストの上昇を招く。さらに、各基板間の接続箇所が増え、構造が複雑になるため、組立作業性の難易度が高いという問題がある。
【００２６】
また、導光板が分割されている場合（例えば、図２５（ａ）、図２７（ｃ）、図２８〜図３０、図３１）、上記に加え、各々の導光板を保持するための構造が必要となるため、更に構造が複雑になる。
【００２７】
本発明は、上記の問題点に鑑みてなされたものであり、その目的は、簡単な構造で薄型化を図れるとともに、領域毎調光制御が可能な面状照明装置を実現することにある。
【課題を解決するための手段】
【００２８】
本発明の面状照明装置は、上記課題を解決するために、複数の光源と、該光源からの光が一側面から入射し、この一側面を光入射面とし、下面に形成された光反射面によって反射した光を上面の光取出し面から照射する複数の導光板とを有する面状照明装置において、前記導光板は、前記光取出し面と垂直な方向に互いに積層され、各導光板の光反射面は、前記光取出し面と対向する方向から見て、少なくとも一部が互いに重ならない位置に形成されていることを特徴としている。
【００２９】
上記の発明によれば、導光板の一側面から入射した光源からの光を下面に形成された光反射面によって反射させ、上面の光取出し面から照射するエッジライト方式の構成である。このため、直下型方式に比べて薄型化を図ることができる。
【００３０】
また、光源は、導光板の一方の側面付近にのみ配置すればいいので、光源を配置するための構成の単純化を図ることができる。
【００３１】
さらに、複数の光源の輝度を制御して、各導光板に入射する光の強弱を制御することにより、光取出し面から出射される光の強弱を制御することができる。ここで、光取出し面と垂直な方向に互いに積層されている各導光板の光反射面は、前記光取出し面と対向する方向から見て、少なくとも一部が互いに重ならない位置に形成されている。このため、各光反射面によって区切られる領域毎の調光制御が可能となる。
【００３２】
従って、簡単な構造で薄型化を図れるとともに、領域毎調光制御が可能な面状照明装置および表示装置を実現できるという効果を奏する。
【発明の効果】
【００３３】
本発明の面状照明装置は、以上のように、前記導光板は、前記光取出し面と垂直な方向に互いに積層され、各導光板の光反射面は、前記光取出し面と対向する方向から見て、少なくとも一部が互いに重ならない位置に形成されている。これにより、簡単な構造で薄型化を図れるとともに、領域毎調光制御が可能な面状照明装置および表示装置を実現できるという効果を奏する。
【発明を実施するための最良の形態】
【００３４】
〔実施形態１〕
本発明の一実施形態について図１乃至図１２に基づいて説明すると以下の通りである。
【００３５】
図１は、本実施形態１に係るバックライトモジュール１の構成を示す分解斜視図である。バックライトモジュール１は、４つの導光板１０、１１、１２、１３と、反射シート６と、ＬＥＤ３と、ＬＥＤ基板７とを備えており、これらは、筐体５に納められて保持されている。導光板は面積の広い２面が上面及び下面であり、上面と下面とを繋ぐ４つの側面を有する角柱形状とされている。
【００３６】
ＬＥＤ３は、導光板１０、１１、１２、１３の一側面に沿って複数配置されており、これらのＬＥＤ３は１つのＬＥＤ基板７上に搭載されている。
【００３７】
４つ導光板１０、１１、１２、１３は、ＬＥＤ基板７に対して平行な方向の長さが互いに等しく、その一方端の側面は、ＬＥＤ３と対向するように互いに揃えられて積層されている。一方、導光板１０、１１、１２、１３は、ＬＥＤ３に対向する側面に対して垂直な方向の幅が互いに異なっており、導光板１０、１１、１２、１３の順に幅が短くなっている。導光板１０、１１、１２、１３は、この順に図１の下から積層されている。また、導光板１０、１１、１２、１３は、アクリル樹脂や、ポリカーボネート樹脂等の可視光を透過する材料から形成することができる。
【００３８】
反射シート６は、ＬＥＤ３からの光を効率的に利用するためのものであり、拡散反射タイプの白色ポリエステルフィルムや超白色ポリエステルフィルム、又は拡散防止タイプのポリプロピレンをベースとした単層構造のフィルム等を用いることができる。バックライトモジュール１では、反射シート６は、積層された導光板１０、１１、１２、１３と、筐体５との間に配置されている。
【００３９】
筐体５は、上面に開口部が設けられており、この開口部は導光板１０の上面が露出するように形成されている。筐体５の形状は、積層された導光板１０、１１、１２、１３の形状に応じて適宜変更するものとする。これにより、バックライトモジュール１の薄型化を図ることができる。筐体５の材料は特に限定されず、遮光性のプラスチック、金属等から形成することができる。
【００４０】
バックライトモジュール１においては、導光板１０、１１、１２、１３を４つ積層して構成であるが、これに限定されない。導光板１０、１１、１２、１３の積層数は、調光制御する領域数に応じて適宜変更できる。
【００４１】
なお、ＬＥＤ３は、バックライトモジュール１のように一つのＬＥＤ基板７上に設けられていることが好ましい。これにより、ＬＥＤ基板同士の接続が不要となる。また、ＬＥＤ基板７が１つだけで済むため、従来のタンデム型面光源装置と比較して、ＬＥＤ基板の総面積の縮小、および導光板やＬＥＤ基板等の取付け構造の簡略化を図ることができる。これにより、従来のタンデム型面光源装置と比較して、製造コストを抑えることができる。
【００４２】
また、バックライトモジュール１はエッジライト方式であり、ＬＥＤ基板７が細長く形成されるため、ＬＥＤ３の配置面積を小さくすることができる。バックライトモジュール１は、特に光源としてＬＥＤを採用する直下型バックライトと比較すると、ＬＥＤを搭載するＬＥＤ基板の面積を削減でき、大幅な厚みの低減を図ることができる。
【００４３】
なお、ＬＥＤ基板７の裏面には、ＬＥＤ３が発生する熱を筐体５の金属シャーシ等に放熱するため、放熱シリコーンシート（図示せず）等が設けられていてもよい。上述のように、ＬＥＤ基板７の面積が小さくできるため、放熱シリコーンシート等の量も少なくて済み、更なるコストダウンを図ることができる。
【００４４】
図２は、バックライトモジュール１の組立て後の構成を示す斜視図である。バックライトモジュール１では、図２に示すように、最上層の導光板１０のみが露出しており、導光板１１、１２、１３と、反射シート６とは、導光板１０に覆われる構成となっている。
【００４５】
また、導光板１０は、７つの導光ブロック１０Ａに分割されており、これらの導光ブロック１０Ａは、ＬＥＤ基板７の長手方向に並べられている。また、導光ブロック１０ＡのＬＥＤ基板７の長手方向の長さは、互いに等しい。同様に、図２には図示されていないが、他の導光板１１、１２、１３も、それぞれ７つの導光ブロック１１Ａ、１２Ａ、１３Ａに分割されている。なお、分割数は特に限定されず、調光制御する領域数に応じて適宜変更できる。
【００４６】
図３は、バックライトモジュール１の構成を示す斜視図であり、導光ブロック１０Ａ、１１Ａ、１２Ａを１つずつ取り外した状態を示している。
【００４７】
導光ブロック１０Ａ、１１Ａ、１２Ａ、１３Ａは、図３に示すように、一方の端の側面がＬＥＤ３と対向するように揃えて配され、最も小さい導光ブロック１３Ａから導光ブロック１２Ａ、導光ブロック１１Ａの順に積層されて、最も大きい導光ブロック１０Ａが導光ブロック１１Ａ、１２Ａ、１３Ａを覆うように設けられる。
【００４８】
図４は、図２に示すバックライトモジュール１のＡ−Ａ断面図である。各導光板１０、１１、１２、１３は、それぞれ上面１０ａ、１１ａ、１２ａ、１３ａ、下面１０ｂ、１１ｂ、１２ｂ、１３ｂ、および側面１０ｃ、１１ｃ、１２ｃ、１３ｃを有している。図４に示すように、最上層の導光板１０の上面１０ａのみ露出しており、他の導光板１１、１２、１３の上面１１ａ、１２ａ、１３ａは、それぞれ導光板１０、１１、１２の下面１０ｂ、１１ｂ、１２ｂの下側に位置している。また、側面１０ｃ、１１ｃ、１２ｃ、１３ｃは、１つの仮想的な平面に含まれるように配置され、ＬＥＤ３と近接して対向している。
【００４９】
図５は、バックライトモジュール１の部分拡大図であり、図４の一点鎖線枠内を示している。便宜上、導光板１０の側面１０ｃと対向するＬＥＤ３をＬＥＤ３ａ、導光板１１の側面１１ｃと対向するＬＥＤ３をＬＥＤ３ｂ、導光板１２の側面１２ｃと対向するＬＥＤ３をＬＥＤ３ｃ、および導光板１３の側面１３ｃと対向するＬＥＤ３をＬＥＤ３ｄとする。
【００５０】
各ＬＥＤ３ａ、３ｂ、３ｃ、３ｄは、側面１０ｃ、１１ｃ、１２ｃ、１３ｃにそれぞれ近接して配置されている。例えば、ＬＥＤ３ａからの出射光は、側面１０ｃに入射し、他の側面１１ｃ、１２ｃ、１３ｃには殆ど入射しない。同様に、ＬＥＤ３ｂ、３ｃ、３ｄからの出射光は、それぞれ側面１１ｃ、１２ｃ、１３ｃにほぼ入射するように構成されている。
【００５１】
また、図４に示すように、各導光板１０、１１、１２、１３の下面１０ｂ、１１ｂ、１２ｂ、１３ｂでは、各下面１０ｂ、１１ｂ、１２ｂ、１３ｂのＬＥＤ３と対向する端部からの所定範囲が上面１０ａ、１１ａ、１２ａ、１３ａに対して傾斜している。また、本実施形態１では、後述するように、各下面１０ｂ、１１ｂ、１２ｂ、１３ｂのＬＥＤ３と対向する端部からの所定距離の範囲、すなわち、下面１０ｂ、１１ｂ、１２ｂのうち下層の導光板１１、１２、１３の上面１１ａ、１２ａ、１３ａと対向している導光板においては下層の導光板と対向していない範囲、下層に導光板が無い導光板においては下面１３ｂの全面に、光を上面１０ａ、１１ａ、１２ａ、１３ａに反射させる反射処理が施されている。これにより、当該反射処理が施されている部分は、光反射面として機能する。また、下面１０ｂ、１１ｂ、１２ｂ、１３ｂの光反射面に沿って反射シート６が配置されている。
【００５２】
なお、各下面１０ｂ、１１ｂ、１２ｂ、１３ｂの傾斜部分以外の面は、それぞれ上面１０ａ、１１ａ、１２ａ、１３ａと平行である。また、各下面１０ｂ、１１ｂ、１２ｂ、１３ｂの傾斜部分の上面１０ａ、１１ａ、１２ａ、１３ａに対する傾斜角度は、互いに等しい。
【００５３】
図６は、バックライトモジュール１の部分拡大図であり、図４の破線枠内を示している。図６（ａ）に示すように、導光板１０、１１、１２、１３の下面１０ｂ、１１ｂ、１２ｂ、１３ｂの光反射面には、酸化チタン８等の白色顔料を印刷することにより、反射処理が施されていることが好ましい。
【００５４】
また、酸化チタン８等の白色顔料を印刷する代わりに、図６（ｂ）に示すように、光反射面を導光板と同材料の透光性樹脂９にて一体成形してもよく、反射処理の種類／方法等に関しては特に限定されるものではない。
【００５５】
続いて、ＬＥＤ３ａ、３ｂ、３ｃ、３ｄから出射される光の経路について、図７〜９に基づいて具体的に説明する。
【００５６】
図７は、バックライトモジュール１における光の経路を示す断面図である。
【００５７】
また、図８は、図７に示すバックライトモジュール１の一点鎖線枠内の部分拡大図である。図８に示すように、ＬＥＤ３ａが発する光Ｌａは、導光板１０の側面１０ｃに入射し、ＬＥＤ３ｂが発する光Ｌｂは、導光板１１の側面１１ｃに入射し、ＬＥＤ３ｃが発する光Ｌｃは、導光板１２の側面１２ｃに入射し、ＬＥＤ３ｄが発する光Ｌｄは、導光板１３の側面１３ｃに入射する。このように、側面１０ｃ、１１ｃ、１２ｃ、１３ｃは、光入射面として機能する。
【００５８】
導光板１０、１１、１２、１３の側面１０ｃ、１１ｃ、１２ｃ、１３ｃから入射した光Ｌａ、Ｌｂ、Ｌｃ、Ｌｄは、図７に示すように、光反射面に達するまではそれぞれ導光板１０、１１、１２、１３の内部を光ファイバの内部における伝播と同様に伝播する。
【００５９】
図９は、図７に示すバックライトモジュールの破線枠内の部分拡大図である。光Ｌａ、Ｌｂ、Ｌｃ、Ｌｄは、図９に示すように、導光板１０、１１、１２、１３の下面１０ｂ、１１ｂ、１２ｂ、１３ｂの反射処理が施された光反射面によって、それぞれ上面１０ａ、１１ａ、１２ａ、１３ａの方向に屈折／散乱する。これにより、下面１０ｂ、１１ｂ、１２ｂ、１３ｂの光反射面によって反射された光Ｌａ、Ｌｂ、Ｌｃ、Ｌｄは、上面１０ａ、１１ａ、１２ａ、１３ａの光取出し面から出射される。上面１０ａ、１１ａ、１２ａ、１３ａの光取出し面は、それぞれ上面１０ａと垂直な方向から見て下面１０ｂ、１１ｂ、１２ｂ、１３ｂの光反射面と対向している。光取出し面から出射された光は、導光拡散シート（図示せず）、プリズムシート（図示せず）を通って液晶パネル（図示せず）から外部に放出される。
【００６０】
ここで、各導光板１０、１１、１２、１３の光反射面は、上面１０ａ、１１ａ、１２ａ、１３ａの光取出し面と対向する方向から見て、互いに隣接する位置に形成されている。図７に示すように、各下面１０ｂ、１１ｂ、１２ｂ、１３ｂの光反射面を基準に上面１０ａと垂直な方向にバックライトモジュール１を区切った領域をそれぞれ領域Ｒａ、Ｒｂ、Ｒｃ、Ｒｄとすると、上面１０ａの光取出し面は領域Ｒａに対応し、上面１１ａの光取出し面は領域Ｒｂに対応し、上面１２ａの光取出し面は領域Ｒｃに対応し、上面１３ａの光取出し面は領域Ｒｄに対応している。
【００６１】
これにより、各上面１０ａ、１１ａ、１２ａ、１３ａの光取出し面から出射された光Ｌａ、Ｌｂ、Ｌｃ、Ｌｄを、導光板１０の上面１０ａにおける領域Ｒａ、Ｒｂ、Ｒｃ、Ｒｄから、それぞれ出射させることができる。
【００６２】
さらに、バックライトモジュール１では、ＬＥＤ３ａ〜３ｄの輝度を制御することにより、領域Ｒａ、Ｒｂ、Ｒｃ、Ｒｄ毎の調光制御が可能となる。具体的には、ＬＥＤ３ａ、３ｂ、３ｃ、３ｄに流す電流を調節して、光Ｌａ、Ｌｂ、Ｌｃ、Ｌｄそれぞれの光度を制御できるようになっている。このため、各上面１０ａ、１１ａ、１２ａ、１３ａの光取出し面から出射される光Ｌａ、Ｌｂ、Ｌｃ、Ｌｄの光度を所望の光度に制御できる。これにより、導光板１０の上面１０ａにおける所望の領域Ｒａ、Ｒｂ、Ｒｃ、Ｒｄから所望の光度の光を出射できる。
【００６３】
また、バックライトモジュール１では、図２および図３に示すように、導光板１０、１１、１２、１３は、ＬＥＤ基板７の長手方向に、複数の導光ブロック１０Ａ、１１Ａ、１２Ａ、１３Ａに分割されている。これにより、各導光ブロックに対向するＬＥＤ３毎の輝度を制御することにより、各導光ブロック１０Ａ、１１Ａ、１２Ａ、１３Ａ間の領域毎の調光制御が可能となる。
【００６４】
図１０は、バックライトモジュール１において、領域毎の調光制御を行っている状態を示す斜視図である。バックライトモジュール１は、図１０に示すように、７×４＝２８の領域毎の調光制御が可能となっている。
【００６５】
以上のように、バックライトモジュール１では、ＬＥＤ３ａ、３ｂ、３ｃ、３ｄの発光のＯＮ／ＯＦＦを切り替えることにより所望の面を発光／消灯させることが可能となる。さらに、液晶表示映像の領域毎の明暗と同期して、バックライトモジュール１側の明暗も領域毎に調整するローカルディミング制御も可能となる。これにより、液晶表示装置の高コントラスト化／低消費電力化を図りつつ、且つ薄型の液晶表示装置を提供することが可能となる。
【００６６】
なお、バックライトモジュール１では、各導光板１０、１１、１２、１３の光反射面の面積を互いに等しくすることで、図１０に示す調光制御可能な単位領域を互いに等しくすることができる。さらに、上面１０ａ、１１ａ、１２ａ、１３ａの光取出し面が、面積の等しい正方形となるように形成することにより、調光制御可能な単位領域を正方形とすることができる。
【００６７】
なお、バックライトモジュール１では、各導光板１０、１１、１２、１３の光反射面は、上面１０ａ、１１ａ、１２ａ、１３ａの光取出し面と対向する方向から見て、一部が多少重なる位置に形成されていてもよい。
【００６８】
また、通常の使用においては問題とならないが、隣り合う導光ブロック１０Ａと導光ブロック１０Ａとの間、導光ブロック１１Ａと導光ブロック１１Ａとの間、導光ブロック１２Ａと導光ブロック１２Ａとの間、および導光ブロック１３Ａと導光ブロック１３Ａとの間において、多少の光漏れが発生する場合がある。そのため、さらなる高コントラスト化を図るために、隣り合う導光ブロック１０Ａ間、導光ブロック１１Ａ間、導光ブロック１２Ａ間、および導光ブロック１３Ａ間に、反射シート６を設けてもよい。
【００６９】
さらに、ＬＥＤ３ａ、３ｂ、３ｃ、３ｄからの光Ｌａ、Ｌｂ、Ｌｃ、Ｌｄが、それぞれ導光板１０の上面１０ａにおける調光制御領域に達するまでの距離は、Ｌａ＞Ｌｂ＞Ｌｃ＞Ｌｄの関係にある。従って、発光輝度を画面全体で均一にするために、光Ｌａ、Ｌｂ、Ｌｃ、Ｌｄの光度は、Ｌａ＞Ｌｂ＞Ｌｃ＞Ｌｄとなるように調節されることが好ましい。
【００７０】
続いて、バックライトモジュールの変形例について、図１１〜図１３に基づいて説明する。
【００７１】
図１１は、本実施形態の変形例に係るバックライトモジュール２０の構成を示す斜視図である。バックライトモジュール２０は、導光板３０、３１、３２、３３を２組有しており、それらが筐体２５に収められた構成である。導光板３１、３２、３３は、図示されていないが、図１に示す導光板１１、１２、１３と同様、導光板３０に覆われて互いに積層されている。各導光板３０、３１、３２、３３は、それぞれ１４個の導光ブロックに分割されている。
【００７２】
図２に示すバックライトモジュール１では、光源としてのＬＥＤ３は筐体５の一方の長辺側のみに設けられていたが、バックライトモジュール２０では、ＬＥＤ３が筐体２５の両方の長辺側に設けられている。さらに、２つの導光板３０、３１、３２、３３はＬＥＤ３が設けられていない他方の端同士が向かい合うように線対称に組み合わされている。これにより、液晶表示装置の更なる大型化に対応したバックライトモジュール２０を実現することができる。
【００７３】
各導光ブロックでは、図７に示す構成と同様に、４つの領域毎の調光制御が可能となっている。これにより、図１１に示すバックライトモジュール２０全体では、１４×４×２＝１１２の領域毎の調光制御が可能となる。
【００７４】
なお、バックライトモジュール２０は、２組の導光板３０、３１、３２、３３を組み合わせた構成であったが、３組以上の導光板を組み合わせてもよい。これにより、バックライトモジュールの更なる大型化を図ることができる。
【００７５】
図１２（ａ）は、本実施形態の変形例に係るバックライトモジュール４０の概略構成を示す断面図である。図４に示すバックライトモジュール１では、下面１０ｂ、１１ｂ、１２ｂ、１３ｂの傾斜部分が同一平面上になるように形成されている。一方、図１２（ａ）に示すバックライトモジュール４０では、各導光板５０、５１、５２、５３の下面５０ｂ、５１ｂ、５２ｂ、５３ｂの傾斜部分が異なる平面上になるように形成されており、光反射面の一部が、光取出し面５０ａ、５１ａ、５２ａ、５３ａに対して平行になっている。
【００７６】
また、図１２（ｂ）は、本実施形態の変形例に係るバックライトモジュール６０の概略構成を示す断面図である。バックライトモジュール６０では、各導光板７０、７１、７２、７３の下面７０ｂ、７１ｂ、７２ｂ、７３ｂに傾斜面が設けられていない。この場合でも、各下面７０ｂ、７１ｂ、７２ｂの上面７１ａ、７２ａ、７３ａと重ねられていない部分、および下面７３ｂの全面または一部に反射処理を施すことにより、領域毎の調光制御が可能となる。
【００７７】
なお、図４に示すように、各導光板１０、１１、１２、１３の下面１０ｂ、１１ｂ、１２ｂ、１３ｂの傾斜部分が、それぞれ上面１０ａ、１１ａ、１２ａ、１３ａに対して同一の角度をなすように構成すると、導光板１０、１１、１２、１３全体の体積を最小化することができので、バックライトモジュールの軽量化に有利である。
【００７８】
本実施形態では、光源としてＬＥＤを用いたが、現状多用されている冷陰極蛍光管等を用いることもできる。この場合でも、導光ブロック毎の調光制御はできないが、積層された各導光板の光反射面によって区分される領域毎の調光制御は可能である。なお、光源としてＬＥＤを用いた場合のほうが、導光ブロック毎の調光制御も可能となるため、調光制御できる領域をより細分化できる。また、大幅なコントラスト向上、および低消費電力化を図ることが可能となる。
〔実施形態２〕
本発明の他の実施形態について図１３乃至図２２に基づいて説明すれば、以下の通りである。
【００７９】
なお、説明の便宜上、前記の実施形態１の図面に示した部材と同一の機能を有する部材については、同一の符号を付し、その説明を省略する。
【００８０】
前記実施形態１のバックライトモジュール１では、ＬＥＤ３に対向する側面に対して垂直な方向の幅が短い導光板からバックライトモジュール１の光照射方向に向かって順に積層されているのに対して、本実施形態のバックライトモジュール１０１は、当該幅の長い導光板から順に積層されている点が異なる。即ち、バックライトモジュール１では、最上層の導光板の上面のみが露出しているが、バックライトモジュール１０１では、各導光板の上面が露出している構成である。
【００８１】
図１３は、本実施形態２に係るバックライトモジュール１０１の構成を示す分解斜視図である。バックライトモジュール１０１は、４つの導光板１１０、１１１、１１２、１１３と、ＬＥＤ３と、反射シート１０６ａ〜１０６ｄと、ＬＥＤ基板７とを備えており、これらは、筐体５に納められて保持されている。すなわち、バックライトモジュール１０１は、図１に示すバックライトモジュール１において、導光板１０、１１、１２、１３を導光板１１０、１１１、１１２、１１３に置き換え、それぞれの導光板に対し反射シート６に代えて、反射シート１０６ａ〜１０６ｄを設けた構成である。
【００８２】
４つ導光板１１０、１１１、１１２、１１３は、ＬＥＤ基板７に対して平行な方向の長さが互いに等しく、その一方の端の側面は、ＬＥＤ３と対向するように互いに揃えられて積層されている。一方、導光板１１０、１１１、１１２、１１３は、ＬＥＤ３に対向する側面に対して垂直な方向の幅が互いに異なっており、導光板１１３、１１２、１１１、１１０の順に幅が短くなっている。導光板１１３、１１２、１１１、１１０は、この順に図１３の下から積層されている。
【００８３】
また、導光板１１０と導光板１１１との間、導光板１１１と導光板１１２との間、および導光板１１２と導光板１１３との間には、それぞれ反射シート１０６ａ、１０６ｂ、１０６ｃが設けられ、導光板１１３と筐体５の内面との間には、反射シート１０６ｄが設けられている。反射シート１０６ａ、１０６ｂ、１０６ｃ、１０６ｄの面積は、それぞれ導光板１１０、１１１、１１２、１１３の下面の面積と等しい。
【００８４】
なお、ＬＥＤ３、ＬＥＤ基板７、および筐体５の構成は、前記実施形態１におけるものと略同様である。
【００８５】
図１４は、バックライトモジュール１０１の組立て後の構成を示す斜視図である。図２に示すバックライトモジュール１では、最上層の導光板１０の上面のみが露出していたが、バックライトモジュール１０１では、導光板１１０の上面の全部、および導光板１１１、１１２、１１３の上面の一部が露出している。これらの露出部分が、光取出し面として機能する。また、各導光板１１０、１１１、１１２、１１３の光取出し面は、１つの仮想的な平面に含まれている。
【００８６】
さらに、各導光板１１０、１１１、１１２、１１３は、実施形態１に記載の導光板１０、１１、１２、１３と同様に、幅の等しい導光ブロック１１０Ａ、１１１Ａ、１１２Ａ、１１３Ａに分割されている。これにより、領域毎調光制御が可能な領域を細分化することができるため、大幅なコントラスト向上、および低消費電力化を図ることが可能となる。分割する数は特に限定されず、調光制御する領域数に応じて適宜変更できる。
【００８７】
図１５は、バックライトモジュール１０１の構成を示す斜視図であり、導光ブロック１１０Ａを２つ取り外した状態を示している。
【００８８】
図１６は、図１４に示すバックライトモジュール１０１のＢ−Ｂ断面図である。各導光板１１０、１１１、１１２、１１３は、それぞれ上面１１０ａ、１１１ａ、１１２ａ、１１３ａ、下面１１０ｂ、１１１ｂ、１１２ｂ、１１３ｂ、および側面１１０ｃ、１１１ｃ、１１２ｃ、１１３ｃを有している。
【００８９】
導光板１１０の上面１１０ａは全て露出しているのに対し、導光板１１１、１１２、１１３の上面１１１ａ、１１２ａ、１１３ａの一部は、それぞれ導光板１１１、１１２、１１３の下面１１０ｂ、１１１ｂ、１１２ｂの下側に位置している。上面１１０ａおよび上面１１１ａ、１１２ａ、１１３ａの露出部分は、同一の平面に含まれる。
【００９０】
一方、各導光板１１０、１１１、１１２、１１３の下面１１０ｂ、１１１ｂ、１１２ｂ、１１３ｂは、それぞれ上面１１０ａ、１１１ａ、１１２ａ、１１３ａの露出部分に対して傾斜しており、その傾斜角度は互いに等しい。
【００９１】
図１７は、バックライトモジュール１０１の部分拡大図であり、図１６の一点鎖線枠内を示している。便宜上、導光板１１０の側面１１０ｃと対向するＬＥＤ３をＬＥＤ３ａ、導光板１１１の側面１１１ｃと対向するＬＥＤ３をＬＥＤ３ｂ、導光板１１２の側面１１２ｃと対向するＬＥＤ３をＬＥＤ３ｃ、および導光板１１３の側面１１３ｃと対向するＬＥＤ３をＬＥＤ３ｄとする。
【００９２】
各ＬＥＤ３ａ〜３ｄは、側面１１０ｃ〜１１３ｃにそれぞれ近接して配置されている。例えば、ＬＥＤ３ａからの出射光は、側面１１０ｃに入射し、他の側面１１１ｃ〜１１３ｃには殆ど入射しない。同様に、ＬＥＤ３ｂ、３ｃ、３ｄからの出射光は、それぞれ側面１１１ｃ、１１２ｃ、１１３ｃにほぼ入射するように構成されている。
【００９３】
図１８は、バックライトモジュール１０１の部分拡大図であり、図１６の破線枠内を示している。図１８（ａ）に示すように、導光板１１０、１１１、１１２、１１３の下面１１０ｂ、１１１ｂ、１１２ｂ、１１３ｂの光反射面には、酸化チタン８等の白色顔料を印刷することにより、反射処理が施されていることが好ましい。
【００９４】
また、酸化チタン８等の白色顔料を印刷する代わりに、図１８（ｂ）に示すように、光反射面を透光性樹脂９にて一体成形してもよく、反射処理の種類／方法等に関しては特に限定されるものではないことは、実施形態１に係るバックライトモジュール１と同様である。
【００９５】
続いて、ＬＥＤ３から出射される光の経路について、図１９〜図２１に基づいて具体的に説明する。
【００９６】
図１９は、バックライトモジュール１０１における光の経路を示す断面図である。
【００９７】
また、図２０は、図１９に示すバックライトモジュール１０１の一点鎖線枠内の部分拡大図である。図２０に示すように、ＬＥＤ３ａが発する光Ｌａは、導光板１１０の側面１１０ｃに入射し、ＬＥＤ３ｂが発する光Ｌｂは、導光板１１１の側面１１１ｃに入射し、ＬＥＤ３ｃが発する光Ｌｃは、導光板１１２の側面１１２ｃに入射し、ＬＥＤ３ｄが発する光Ｌｄは、導光板１１３の側面１１３ｃに入射する。このように、側面１１０ｃ、１１１ｃ、１１２ｃ、１１３ｃは、光入射面として機能する。
【００９８】
導光板１１０、１１１、１１２、１１３の内部に入射した光Ｌａ、Ｌｂ、Ｌｃ、Ｌｄは、図１９に示すように、光反射面に達するまではそれぞれ導光板１１０、１１１、１１２、１１３の内部を光ファイバの内部における伝播と同様に伝播する。
【００９９】
図２１は、図１９に示すバックライトモジュール１０１の破線枠内の部分拡大図である。下面１１０ｂ、１１１ｂ、１１２ｂ、１１３ｂの光反射面に到達した光Ｌａ、Ｌｂ、Ｌｃ、Ｌｄは、導光板１１０、１１１、１１２、１１３の下面１１０ｂ、１１１ｂ、１１２ｂ、１１３ｂの反射処理が施された光反射面において、それぞれ上面１１０ａ、１１１ａ、１１２ａ、１１３ａの方向に屈折／散乱する。これにより、下面１１０ｂ、１１１ｂ、１１２ｂ、１１３ｂの光反射面により反射された光Ｌａ、Ｌｂ、Ｌｃ、Ｌｄは、上面１１０ａ、１１１ａ、１１２ａ、１１３ａの光取出し面から出射される。
【０１００】
これにより、ＬＥＤ３ａ、３ｂ、３ｃ、３ｄの輝度を制御することにより、光取出し面毎の出射光の強度を制御することができる。バックライトモジュール１０１では、実施形態１に係るバックライトモジュール１とは異なり、上面１１０ａ、１１１ａ、１１２ａ、１１３ａの光取出し面が露出している。それゆえ、光取出し面１１０ａ、１１１ａ、１１２ａ、１１３ａの光取出し面によって区分される領域Ｒａ、Ｒｂ、Ｒｃ、Ｒｄが、調光制御可能領域となる。また、ＬＥＤ３ａ、３ｂ、３ｃ、３ｄから出射された光Ｌａ、Ｌｂ、Ｌｃ、Ｌｄは、他の導光板１１０、１１１、１１２、１１３を透過することなく光取出し面から出射されるので、バックライトモジュール１と比較して高効率な面発光を得ることができる。
【０１０１】
また、バックライトモジュール１０１では、ＬＥＤ基板７の長手方向に、複数の導光ブロック１１０Ａ、１１１Ａ、１１２Ａ、１１３Ａに分割されている。これにより、各導光ブロックに対向するＬＥＤ３毎の輝度を制御することにより、各導光ブロック１１０Ａ、１１１Ａ、１１２Ａ、１１３Ａ間の領域毎の調光制御が可能となる。このように、各７つの導光ブロック１１０Ａ、１１１Ａ、１１２Ａ、１１３Ａで区分される領域毎の明るさも調節できるので、図１０に示すバックライトモジュール１と同様に、７×４＝２８の領域毎の調光制御が可能となっている。
【０１０２】
以上のように、バックライトモジュール１０１では、実施形態１に係るバックライトモジュール１と同様に、各ＬＥＤ３ａ、３ｂ、３ｃ、３ｄの発光のＯＮ／ＯＦＦを切り替えることにより所望の面を発光／消灯させることが可能となる。さらに、液晶表示映像の各領域毎の明暗と同期して、バックライトモジュール１０１側の明暗も各領域毎に調整するローカルディミング制御も可能となる。これにより、液晶表示装置の高コントラスト化／低消費電力化を図りつつ、且つ薄型の液晶表示装置を提供することが可能となる。
【０１０３】
また、バックライトモジュール１０１では、上面１１０ａ、１１１ａ、１１２ａ、１１３ａの光取出し面が、面積の等しい正方形となるように形成することにより、調光制御可能な単位領域を正方形とすることができる。
【０１０４】
なお、ＬＥＤ３ａ、３ｂ、３ｃ、３ｄからの光Ｌａ、Ｌｂ、Ｌｃ、Ｌｄが、それぞれの調光制御領域である各上面１１３ａ、１１３ｂ、１１３ｃ、１１３ｄの光取出し面に達するまでの距離は、Ｌａ＜Ｌｂ＜Ｌｃ＜Ｌｄの関係にある。このため、発光輝度を画面全体で均一にするために、光Ｌａ、Ｌｂ、Ｌｃ、Ｌｄの光度は、Ｌａ＜Ｌｂ＜Ｌｃ＜Ｌｄとなるように調節されることが好ましい。
【０１０５】
続いて、バックライトモジュールの変形例について、図２２に基づいて説明する。
【０１０６】
図２２は、本実施形態の変形例に係るバックライトモジュール１２０の構成を示す斜視図である。バックライトモジュール１２０は、導光板１３０、１３１、１３２、１３３を２組有しており、それらが筐体２５に収められた構成である。各導光板１３０、１３１、１３２、１３３は、それぞれ１４個の導光ブロックに分割されている。また、バックライトモジュール１２０では、ＬＥＤ３が筐体２５の両方の長辺側に設けられている。さらに、２つの導光板１３０、１３１、１３２、１３３はＬＥＤ３が設けられていない他方の端同士が向かい合うように線対称に組み合わされている。これにより、図１１に示すバックライトモジュール２０と同様に、バックライトモジュール１２０においても、１４×４×２＝１１２の領域毎の調光制御が可能となる。
【０１０７】
なお、バックライトモジュール１２０は、２組の導光板１３０、１３１、１３２、１３３を組み合わせた構成であったが、３組以上の導光板１３０、１３１、１３２、１３３を組み合わせてもよい。これにより、バックライトモジュールの更なる大型化を図ることができる。
【０１０８】
上述したように、実施形態１および２のバックライトモジュール１および１０１を液晶表示装置のバックライトとして用いることにより、簡単な構造で薄型化を図れるとともに、領域毎調光制御が可能な液晶表示装置を実現することができる。
【０１０９】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【０１１０】
本発明の面状照明装置は、液晶テレビ、液晶モニター等の液晶表示装置全般、および照明用途関連、例えば、内照式看板の光源などにおいても利用可能である。
【図面の簡単な説明】
【０１１１】
【図１】本発明の第１の実施形態に係るバックライトモジュールの構成を示す分解斜視図である。
【図２】前記バックライトモジュールの組立て後の構成を示す斜視図である。
【図３】前記バックライトモジュールの構成を示す斜視図であり、一部の導光ブロックを取り外した状態を示している。
【図４】図２に示すバックライトモジュールのＡ−Ａ断面図である。
【図５】図４に示すバックライトモジュールの一点鎖線枠内を示す部分拡大図である。
【図６】図４に示す前記バックライトモジュールの破線枠内を示す部分拡大図である
【図７】前記バックライトモジュールにおける光の経路を示す断面図である。
【図８】図７に示すバックライトモジュールの一点鎖線枠内の部分拡大図である。
【図９】図７に示すバックライトモジュールの破線枠内の部分拡大図である。
【図１０】前記バックライトモジュールにおいて、領域毎の調光制御を行っている状態を示す斜視図である。
【図１１】本発明の第１の実施形態の変形例に係るバックライトモジュールの構成を示す斜視図である。
【図１２】本発明の第１の実施形態の他の変形例に係るバックライトモジュールの構成を示す断面図である。
【図１３】本発明の第２の実施形態に係るバックライトモジュールの構成を示す分解斜視図である。
【図１４】図１３に示すバックライトモジュールの組立て後の構成を示す斜視図である。
【図１５】図１３に示すバックライトモジュールの導光ブロックの構成を示す斜視図であり、一部の導光ブロックを取り外した状態を示している。
【図１６】図１４に示すバックライトモジュールのＢ−Ｂ断面図である。
【図１７】図１６に示すバックライトモジュールの一点鎖線枠内を示す部分拡大図である。
【図１８】図１６に示す前記バックライトモジュールの破線枠内を示す部分拡大図である。
【図１９】図１６に示すバックライトモジュールにおける光の経路を示す断面図である。
【図２０】図１９に示すバックライトモジュールの一点鎖線枠内の部分拡大図である。
【図２１】図１９に示すバックライトモジュールの破線枠内の部分拡大図である。
【図２２】本発明の第２の実施形態の変形例に係るバックライトモジュールの構成を示す斜視図である。
【図２３】代表的な直下型バックライトを示す断面図である。
【図２４】代表的なエッジライト型バックライトを示す断面図である。
【図２５】従来のタンデム型面光源装置を示す図である。
【図２６】従来のタンデム型面光源装置および当該装置の輝度と位置との関係を示す図である。
【図２７】従来の他の面光源装置を示す図である。
【図２８】従来のさらに他のバックライトを示す図である。
【図２９】従来のさらに他の照明装置を示す図である。
【図３０】従来のさらに他のバックライトを示す図である。
【図３１】従来のさらに別の照明装置を示す図である。
【符号の説明】
【０１１２】
１              バックライトモジュール（面状照明装置）
３ａ〜３ｄ      ＬＥＤ（光源）
６              反射シート
１０６ａ〜１０６ｄ  反射シート
１０〜１３        導光板
１０Ａ〜１３Ａ    導光ブロック
１０ａ〜１３ａ    上面
１０ｂ〜１３ｂ    下面
１０ｃ〜１３ｃ    側面
１０１              バックライトモジュール（面状照明装置）
１１０〜１１３      導光板
１１０ａ〜１１３ａ  上面
１１０ｂ〜１１３ｂ  下面
１１０ｃ〜１１１ｃ  側面
【図１】
2010123345.tif 000003
【図２】
2010123345.tif 000004
【図３】
2010123345.tif 000005
【図４】
2010123345.tif 000006
【図５】
2010123345.tif 000007
【図６】
2010123345.tif 000008
【図７】
2010123345.tif 000009
【図８】
2010123345.tif 000010
【図９】
2010123345.tif 000011
【図１０】
2010123345.tif 000012
【図１１】
2010123345.tif 000013
【図１２】
2010123345.tif 000014
【図１３】
2010123345.tif 000015
【図１４】
2010123345.tif 000016
【図１５】
2010123345.tif 000017
【図１６】
2010123345.tif 000018
【図１７】
2010123345.tif 000019
【図１８】
2010123345.tif 000020
【図１９】
2010123345.tif 000021
【図２０】
2010123345.tif 000022
【図２１】
2010123345.tif 000023
【図２２】
2010123345.tif 000024
【図２３】
2010123345.tif 000025
【図２４】
2010123345.tif 000026
【図２５】
2010123345.tif 000027
【図２６】
2010123345.tif 000028
【図２７】
2010123345.tif 000029
【図２８】
2010123345.tif 000030
【図２９】
2010123345.tif 000031
【図３０】
2010123345.tif 000032
【図３１】
2010123345.tif 000033